(57)【特許請求の範囲】
【請求項１】
第１バーナ及び該第１バーナよりも最大燃焼量が小さい第２バーナを少なくとも含む複数のバーナと、
前記複数のバーナに対して燃焼用空気を供給する単一のファンと、
前記複数のバーナの燃焼排ガスが流入する単一の排気通路と、
前記排気通路に設けられたＣＯセンサと、
前記複数のバーナの少なくともいずれか一つが燃焼中であるときに、燃焼中のバーナに対して燃焼量に応じた燃焼用空気が供給されるように、前記ファンの回転速度を制御する燃焼制御部と、
前記複数のバーナのうちの少なくともいずれか一つが燃焼中であるときに、燃焼中のバーナの点火時から第１所定時間が経過するまでの検出禁止期間を除いて、前記ＣＯセンサにより検出されるＣＯ濃度に基づく不完全燃焼の第１判定条件の成立の有無を監視し、該第１判定条件が成立したときには、燃焼中のバーナを消火する不完全燃焼対処部と
を備えた燃焼装置において、
前記不完全燃焼対処部は、前記第２バーナのみが燃焼中であるときは、前記ＣＯセンサにより検出されるＣＯ濃度に基づく不完全燃焼の第２判定条件の成立の有無を監視し、該第２判定条件が成立したときには、前記第２バーナを一旦消火した後に再点火し、該再点火時から、前記ＣＯセンサにより検出されるＣＯ濃度に基づく第３判定条件の成立の有無を監視し、該第３判定条件が成立したときには、前記第２バーナを消火することを特徴とする燃焼装置。
【請求項２】
請求項１に記載の燃焼装置において、
前記不完全燃焼対処部は、前記第２バーナのみが燃焼中であるときの前記第２判定条件の成立の有無の監視を、前記第２バーナのみが燃焼中である状態になってから第２所定時間が経過した時に開始することを特徴とする燃焼装置。
【発明の詳細な説明】
【技術分野】
【０００１】
本発明は、不完全燃焼を検知して燃焼を停止する機能を備えた燃焼装置に関する。
【背景技術】
【０００２】
例えば、屋内に設置された強制排気タイプの燃焼装置において、排気通路からの燃焼排ガスの漏れが生じると、燃焼排ガスの流出によって屋内の酸素濃度が次第に低下する。その結果、バーナに供給される燃焼用空気中の酸素の不足により、バーナが不完全燃焼状態となって燃焼排ガス中のＣＯ（一酸化炭素）の濃度が増加する。
【０００３】
そこで、バーナの排気通路にＣＯセンサを設けて、バーナ燃焼中に燃焼排ガス中のＣＯ濃度を監視するようにした燃焼装置が知られている（例えば、特許文献１参照）。特許文献１に記載された燃焼装置においては、ＣＯセンサにより検出されたＣＯ濃度を判定値と比較し、ＣＯ濃度が判定値以上となった状態が一定時間以上継続したときに、バーナを消火するようにしている。
【先行技術文献】
【特許文献】
【０００４】
【特許文献１】特開平７−１０３４７３号公報
【発明の概要】
【発明が解決しようとする課題】
【０００５】
特許文献１に記載された燃焼装置によれば、燃焼排ガス中のＣＯ濃度の上昇によりバーナの不完全燃焼を検知してバーナを消火することによって、バーナの不完全燃焼が継続することの防止を図っている。
【０００６】
しかしながら、本願発明者は、複数のバーナに対して一つのファンにより燃焼用空気を供給すると共に、各バーナの燃焼排ガスを一つの排気通路を介して排出する構成とした燃焼装置においては、排気通路に設けたＣＯセンサによりバーナの不完全燃焼を検知することが難しい場合があることを知見した。
【０００７】
そこで、本発明は、複数のバーナに対する燃焼用空気の供給を一つのファンで行うと共に、各バーナの燃焼排ガスを一つの排気通路を介して排出する構成とした燃焼装置において、バーナの不完全燃焼の検出精度を高めることを目的とする。
【課題を解決するための手段】
【０００８】
本発明は上記目的を達成するためになされたものであり、
第１バーナ及び該第１バーナよりも最大燃焼量が小さい第２バーナを少なくとも含む複数のバーナと、
前記複数のバーナに対して燃焼用空気を供給する単一のファンと、
前記複数のバーナの燃焼排ガスが流入する単一の排気通路と、
前記排気通路に設けられたＣＯセンサと、
前記複数のバーナの少なくともいずれか一つが燃焼中であるときに、燃焼中のバーナに対して燃焼量に応じた燃焼用空気が供給されるように、前記ファンの回転速度を制御する燃焼制御部と、
前記複数のバーナのうちの少なくともいずれか一つが燃焼中であるときに、燃焼中のバーナの点火時から第１所定時間が経過するまでの検出禁止期間を除いて、前記ＣＯセンサにより検出されるＣＯ濃度に基づく不完全燃焼の第１判定条件の成立の有無を監視し、該第１判定条件が成立したときには、燃焼中のバーナを消火する不完全燃焼対処部と
を備えた燃焼装置の改良に関する。
【０００９】
そして、前記不完全燃焼対処部は、前記第２バーナのみが燃焼中であるときは、前記ＣＯセンサにより検出されるＣＯ濃度に基づく不完全燃焼の第２判定条件の成立の有無を監視し、該第２判定条件が成立したときには、前記第２バーナを一旦消火した後に再点火し、該再点火時から、前記ＣＯセンサにより検出されるＣＯ濃度に基づく第３判定条件の成立の有無を監視し、該第３判定条件が成立したときには、前記第２バーナを消火することを特徴とする。
【００１０】
かかる本発明の燃焼装置は、前記複数のバーナに対して、単一の前記ファンにより燃焼用空気が供給されると共に、各バーナの燃焼排ガスが、単一の前記排気通路に流入して排出される構成となっている。
【００１１】
この構成によれば、前記燃焼装置が屋内に設置された場合に、前記複数のバーナから排出される燃焼排ガスが前記排気通路から屋外に排出されるため、基本的には屋内に燃焼排ガスが流れ込むことはない。しかしながら、前記排気通路の不具合により燃焼排ガスの一部が屋内に流出することが考えられ、この場合には屋内に流出した燃焼排ガスによって、屋内の酸素濃度が低下する。その結果、前記ファンにより屋内から取り込まれて前記ファンに供給される燃焼用空気中の酸素濃度が低下して、前記バーナの不完全燃焼が生じる状況となる。
【００１２】
そして、前記燃焼制御部により、燃焼中のバーナに対して燃焼量に応じた燃焼用空気が供給されるように、前記ファンの回転速度が制御されるため、前記第１バーナが消火状態であって前記第２バーナが燃焼中であるときには、前記第１バーナ側に流れる空気の流量も考慮してファンの回転速度が決定される。
【００１３】
この場合、前記第２バーナの不完全燃焼が生じても、前記第２バーナの燃焼排ガスが前記第１バーナ側を流通した空気によって希釈されるため、前記第２バーナの燃焼排ガス中のＣＯ濃度が低くなり、ＣＯ濃度に基づく前記第２バーナの不完全燃焼の検知が難しくなる。
【００１４】
そこで、前記不完全燃焼対処部は、前記第２バーナのみが燃焼中であるときは、ＣＯ濃度に基づく不完全燃焼の第２判定条件の成立の有無を監視する。この場合、前記第２判定条件は、前記第２バーナのみが燃焼中であるという状況に合わせて、前記第２バーナの不完全燃焼を検知し易い条件に設定することができる。
【００１５】
そして、前記不完全燃焼対処部は、前記第２判定条件が成立したときには、前記第２バーナを一旦消火した後に再点火して、再点火時からＣＯ濃度に基づく第３判定条件の成立の有無を監視する。このように、前記第２バーナを一旦消火した後に再点火するときには、前記第２バーナの燃焼排ガス中に未燃ガスが混入される等の理由により、燃焼排ガス中のＣＯ濃度が嵩上げされる。その結果、前記第３判定条件が成立し易くなるため、前記第２バーナが不完全燃焼になったことを精度良く検知して前記バーナを消火することができる。
【００１６】
また、前記不完全燃焼対処部は、前記第２バーナのみが燃焼中であるときの前記第２判定条件の成立の有無の監視を、前記第２バーナのみが燃焼中である状態になってから第２所定時間が経過した時に開始することを特徴とする。
【００１７】
この構成によれば、前記２バーナのみが燃焼中である状態になってから前記第２所定時間以上が経過することを待つことにより、前記第２バーナ以外のバーナの燃焼排ガスの影響を排除して、前記第２バーナの不完全燃焼をより精度良く検知することができる。
【図面の簡単な説明】
【００１８】
【図１】熱源装置の構成図。
【図２】ＣＯ濃度監視処理のフローチャート。
【図３】バーナ点火時のＣＯ濃度の変化の説明図。
【発明を実施するための形態】
【００１９】
本発明の実施形態の一例について、図１〜図３を参照して説明する。
【００２０】
図１を参照して、本実施形態の熱源装置１（本発明の燃焼装置に相当する）は、給水管３５から供給される水を加熱して給湯管３６から出湯する給湯機能と、暖房往き管４５及び暖房戻り管４６を経由して図示しない暖房端末（床暖房機、温風暖房機等）に温水を循環供給する暖房機能とを有する複合タイプの熱源装置である。
【００２１】
熱源装置１は、筐体１０内に燃焼室を形成する缶体２０を備えて構成されている。缶体２０内には、給水管３５及び給湯管３６に接続されて内部を流通する水を加熱する給湯熱交換器３０と、暖房往き管４５及び暖房戻り管４６に接続されて内部を流通する水を加熱する暖房熱交換器４０とが備えられている。
【００２２】
給湯熱交換器３０の下方に給湯バーナ３１（本発明の第１バーナに相当する）が設けられ、暖房熱交換器４０の下方に暖房バーナ４１（本発明の第２バーナに相当する）が設けられている。暖房バーナ４１の最大燃焼量（例えば、１４ｋＷ）は、給湯バーナ３１の最大燃焼量（例えば、３０ｋＷ）よりも小さく設定されている。
【００２３】
給湯熱交換器３０は、給湯バーナ３１の燃焼排ガスから主に顕熱を吸熱する給湯主熱交換器３０ａと、給湯バーナ３１の燃焼排ガスから主に潜熱を吸熱する給湯副熱交換器３０ｂとにより構成されている。また、暖房熱交換器４０は、暖房バーナ４１の燃焼排ガスから主に顕熱を吸熱する暖房主熱交換器４０ａと、暖房バーナ４１の燃焼排ガスから主に潜熱を吸熱する暖房副熱交換器４０ｂとにより構成されている。
【００２４】
給湯バーナ３１は、大バーナ３１ａと中バーナ３１ｂと小バーナ３１ｃとにより構成されている。また、暖房バーナ４１は、大バーナ４１ａと小バーナ４１ｂとにより構成されている。
【００２５】
熱源装置１は、大バーナ３１ａへの燃料ガスの供給と遮断とを切替える給湯ガス電磁弁３２、中バーナ３１ｂへの燃料ガスの供給と遮断とを切替える給湯ガス電磁弁３３、小バーナ３１ｃへの燃料ガスの供給と遮断とを切替える給湯ガス電磁弁３４、大バーナ４１ａへの燃料ガスの供給と遮断とを切替える暖房ガス電磁弁４２、小バーナ４１ｂへの燃料ガスの供給と遮断とを切替える暖房ガス電磁弁４３、給湯バーナ３１と暖房バーナ４１への燃料ガスの供給と遮断とを切替える元ガス電磁弁５２、給湯バーナ３１と暖房バーナ４１への燃料ガスの供給流量を調節するガス比例弁５１、給湯バーナ３１と暖房バーナ４１に燃焼用空気を供給するファン５０、及び暖房循環路（暖房往き管４５、暖房戻り管４６）内の温水を循環させる循環ポンプ４８を備えている。
【００２６】
缶体２０の上部には集合排気管１１（本発明の排気通路に相当する）が接続されており、給湯バーナ３１と暖房バーナ４１の燃焼排ガスは、集合排気管１１を経由して屋外に排出される。また、筐体１０の上部には給気管１３が接続されている。ファン５０の作動により、給気管１３を介して屋外から流入する空気と、筐体１０の開口部を介して屋内から流入する空気とが、燃焼用空気として給湯バーナ３１及び暖房バーナ４１に供給される。この構成により、熱源装置１は強制排気型（ＦＥ：Forced Exhaust 型）となっている。
【００２７】
集合排気管１１の入口部には、ＣＯ濃度を検出するＣＯセンサ１２が設けられている。また、給湯管３６には給湯管３６から出湯される湯の温度を検出する給湯温度センサ３７が設けられ、暖房往き管４５には、暖房往き管４５から図示しない暖房端末に供給される温水の温度を検出する暖房温度センサ４７が設けられている。
【００２８】
さらに、熱源装置１には、熱源装置１の全体的な作動を制御するコントローラ６０と、熱源装置１を遠隔操作するためのリモコン７０とが備えられている。コントローラ６０は、図示しないＣＰＵ、メモリ、入出力インターフェース等により構成された電子回路ユニットである。コントローラ６０は、メモリに保持された熱源装置１の制御用プログラムをＣＰＵで実行することにより、燃焼制御部６１及び不完全燃焼対処部６２として機能する。
【００２９】
コントローラ６０には、給湯温度センサ３７及び暖房温度センサ４７の温度検出信号と、ＣＯセンサ１２のＣＯ濃度検出信号が入力される。また、コントローラ６０から出力される制御信号によって、給湯ガス電磁弁３２，３３，３４、暖房ガス電磁弁４２，４３、元ガス電磁弁５２、ガス比例弁５１、ファン５０、及び循環ポンプ４８の作動が制御される。
【００３０】
燃焼制御部６１は、給湯管３６から供給される湯の温度が設定温度（リモコン７０により設定される）となるように、元ガス電磁弁５２、給湯ガス電磁弁３２，３３，３４、ガス比例弁５１の作動を制御して、給湯バーナ３１への燃料ガスの供給流量を調節すると共に、ファン５０の回転速度を制御して給湯バーナ３１への燃焼用空気の供給流量を調節して、給湯バーナ３１の燃焼量を制御する給湯運転を実行する。
【００３１】
また、燃焼制御部６１は、暖房往き管４５から所定温度及び流量の温水が供給されるように、元ガス電磁弁５２、暖房ガス電磁弁４２，４３、ガス比例弁５１の作動を制御して、暖房バーナ４１への燃料ガスの供給流量を調節すると共に、ファン５０の回転速度を制御して暖房バーナ４１への燃焼用空気の供給流量を調節して、暖房バーナ４１の燃焼量を制御し、また、循環ポンプ４８の作動を制御する暖房運転を実行する。
【００３２】
不完全燃焼対処部６２は、給湯バーナ３１と暖房バーナ４１の少なくともいずれか一方が燃焼中であるときに、ＣＯセンサ１２により検出される燃焼排ガス中のＣＯ濃度を監視して、バーナ（給湯バーナ３１、暖房バーナ４１）の不完全燃焼を検知する処理を行う。以下、図２に示したフローチャートに従って、不完全燃焼対処部６２による処理について説明する。
【００３３】
熱源装置１への電源供給が開始されたときにコントローラ６０が起動し、リモコン７０に備えられた運転スイッチ（図示しない）の操作により、熱源装置１が待機モードから運転モード（給湯運転及び暖房運転の実行が可能なモード）に切り替えられる。運転モードにおいては、リモコン７０の操作に応じて給湯運転及び暖房運転が実行される。
【００３４】
給湯運転又は暖房運転の運転条件（給湯栓の開栓による熱源装置１への給水開始、リモコン７０の操作による暖房開始指示等）が成立したときにＳＴＥＰ１に進み、燃焼制御部６１は、運転条件に応じて給湯バーナ３１又は暖房バーナ４１の点火処理を行う。
【００３５】
ＳＴＥＰ２で、不完全燃焼対処部６２は、ＳＴＥＰ１における点火時（点火処理の開始時）から１０秒（本発明の第１所定時間に相当する）が経過するのを待ってＳＴＥＰ３に進む。なお、点火処理が行われた時から１０秒が経過するまでの期間は、本発明の検出禁止期間に相当する。この１０秒の検出禁止期間は、点火処理を開始した時からしばらくの間は、未燃ガスの排出等によってＣＯセンサ１２により検出されるＣＯ濃度が高くなるため、この間のＣＯ濃度に基づく不完全燃焼の検知を禁止して、不完全燃焼の誤検知を防止するために設定されている。
【００３６】
ＳＴＥＰ３で、不完全燃焼対処部６２は、以下の(1a)〜(4a)のいずれかの判定条件（本発明の不完全燃焼の第１判定条件に相当する）の成立の有無を判断する。
(1a) ２０００ｐｐｍ＜ＣＯ濃度の状態が５秒以上継続。
(2a) １３００ｐｐｍ＜ＣＯ濃度の状態が２０秒以上継続。
(3a) ８００ｐｐｍ＜ＣＯ濃度の状態が４０秒以上継続
(4a) ６００ｐｐｍ＜ＣＯ濃度の状態が２００秒以上継続。
【００３７】
そして、(1a)〜(4a)のうちの少なくともいずれか一つの判定条件が成立して、給湯バーナ３１又は暖房バーナ４１の不完全燃焼が生じていると判断できるときはＳＴＥＰ２０に分岐し、不完全燃焼対処部６２は、給湯バーナ３１と暖房バーナ４１のうちの燃焼中のバーナを消火して、熱源装置１の運転を停止する。
【００３８】
このとき、不完全燃焼対処部６２は、リモコン７０の表示部に不完全燃焼が生じたことを示すエラー表示をする。このように不完全燃焼が生じている給湯バーナ３１又は暖房バーナ４１の燃焼を停止することにより、暖房バーナ４１の不完全燃焼が継続されて、屋内の酸素濃度の低下が進行することを防止することができる。
【００３９】
一方、上記(1a)〜(4a)の判定条件のいずれも成立していないときには、ＳＴＥＰ４に進む。ＳＴＥＰ４〜ＳＴＥＰ９及びＳＴＥＰ３０は、暖房単独運転時（暖房運転のみが実行され、給湯運転は実行されていない時）における暖房バーナ４１の不完全燃焼に対処するための処理である。
【００４０】
ここで、暖房単独運転時には、図１を参照して、ファン５０から供給される空気は、給湯バーナ３１と暖房バーナ４１の両方に流通する。そして、暖房バーナ４１に供給される空気は燃焼に使用されるが、給湯バーナ３１に供給される空気は燃焼に使用されずにそのまま集合排気管１１へと流出する。
【００４１】
そしてこの場合は、暖房バーナ４１の燃焼排ガスが給湯バーナ３１側を流通した空気との混合により希釈されるため、暖房バーナ４１の不完全燃焼が生じても、ＣＯセンサ１２により検出されるＣＯ濃度が上昇し難い状態となる。
【００４２】
そこで、不完全燃焼対処部６２は、暖房単独運転時には、上述したＳＴＥＰ３における(1a)〜(4a)の第１判定条件による処理とは別に、ＳＴＥＰ４〜ＳＴＥＰ９及びＳＴＥＰ３０による処理を行って、暖房バーナ４１の不完全燃焼に対処している。
【００４３】
ＳＴＥＰ４で、不完全燃焼対処部６２は、暖房単独運転が１０秒（本発明の第２所定時間に相当する）以上継続中であるか否かを判断する。そして、暖房単独運転が１０秒以上継続しているときはＳＴＥＰ６に進み、暖房単独運転が１０秒以上継続していないときにはＳＴＥＰ３に戻る。
【００４４】
ここで、給湯運転及び暖房運転が共に実行された状態から暖房単独運転に切り替わった直後は、給湯バーナ３１の燃焼排ガスが集合排気管１１の付近に残留しているため、暖房バーナ４１の燃焼排ガス中のＣＯ濃度を精度良く検出することが難しい。
【００４５】
そこで、ＳＴＥＰ４で暖房単独運転が１０秒以上継続しているときに限定して、ＳＴＥＰ５以下の処理を行うことにより、給湯バーナ３１の燃焼排ガスの影響を排除して、暖房バーナ４１の不完全燃焼を検知している。
【００４６】
ＳＴＥＰ５で、不完全燃焼対処部６２は、３００ｐｐｍ＜ＣＯ濃度の状態が１０秒以上継続している（本発明の不完全燃焼の第２判定条件に相当する）か否かを判断する。そして、第２判定条件が成立して、暖房バーナ４１の不完全燃焼が生じている可能性があるときはＳＴＥＰ６に進み、第２判定条件が成立していないときにはＳＴＥＰ３に戻る。
【００４７】
ここで、ＳＴＥＰ５の第２判定条件は、上記(1a)〜(4a)の第１判定条件よりも低いＣＯ濃度環境で成立するレベルに設定されている。そして、これにより、給湯バーナ３１側を流れる空気により、暖房バーナ４１の燃焼排ガスが希釈される暖房単独運転時において、暖房バーナ４１の不完全燃焼の検知を容易にしている。
【００４８】
ＳＴＥＰ６で、不完全燃焼対処部６２は暖房バーナ４１を消火し、続くＳＴＥＰ７で、不完全燃焼対処部６２は暖房バーナ４１を再点火する。そして、次のＳＴＥＰ８で、不完全燃焼対処部６２は、以下の(1b)〜(4b)のいずれかの判定条件（本発明の不完全燃焼の第３判定条件に相当する）の成立の有無を判断する。
(1b) ２０００ｐｐｍ＜ＣＯ濃度の状態が５秒以上継続。
(2b) １３００ｐｐｍ＜ＣＯ濃度の状態が８秒以上継続。
(3b) ８００ｐｐｍ＜ＣＯ濃度の状態が１０秒以上継続。
(4b) ６００ｐｐｍ＜ＣＯ濃度の状態が２００秒以上継続。
【００４９】
このように、暖房バーナ４１を一旦消火した後に再点火した場合は、暖房バーナ４１の燃焼排ガスに未燃ガスが混入する等の理由により、再点火時からしばらくの間はＣＯセンサ１２により検出されるＣＯ濃度が高くなる。
【００５０】
ここで、図３は、暖房バーナ４１を一旦消火した後に再点火を行った場合に、ＣＯセンサ１２により検出されるＣＯ濃度の変化を、縦軸をＣＯ濃度（ｐｐｍ）に設定し、横軸を時間（秒）に設定して示したものである。図３において、αは暖房バーナ４１の不完全燃焼が生じている場合を示し、βは暖房バーナ４１の不完全燃焼が生じていない場合を示している。
【００５１】
α、β共に、点火処理の開始時（０秒）からＣＯ濃度が上昇し、暖房バーナ４１が燃焼を開始した時（１０秒付近）からＣＯ濃度が次第に低下している。そして、不完全燃焼が生じたαでは、５秒付近でＣＯ濃度が８００ｐｐｍを超えて継続時間の計時が開始され、ＣＯ濃度が８００ｐｐｍを超えた状態が１０秒以上継続した１５秒付近で、上記(3b)の判定条件の成立により、暖房バーナ４１の不完全燃焼が検知される。
【００５２】
それに対して、不完全燃焼が生じていないβでは、ＣＯ濃度が６００ｐｐｍを超えないため、上記(1b)〜(4b)の判定条件はいずれも成立せず、暖房バーナ４１の不完全燃焼は検知されない。
【００５３】
このように、ＳＴＥＰ７で暖房バーナ４１の再点火処理を開始した時点からＳＴＥＰ８の(1b)〜(4b)の判定条件の成立の有無の監視を開始することによって、ＳＴＥＰ３の(1a)〜(1d)の判定条件による監視では検知できない暖房バーナ４１の不完全燃焼を検知することができる。
【００５４】
そして、(1b)〜(4b)のうちの少なくともいずれか一つの判定条件が成立して、暖房バーナ４１の不完全燃焼が生じていると判断できるときはＳＴＥＰ３０に分岐し、不完全燃焼対処部６２は、暖房バーナ４１を消火して熱源装置１の運転を停止する。このとき、不完全燃焼対処部６２は、リモコン７０の表示部に不完全燃焼が生じたことを示すエラー表示をする。このように暖房バーナ４１の燃焼を停止することにより、暖房バーナ４１の不完全燃焼が継続されて、屋内の酸素濃度の低下が進行することを防止することができる。
【００５５】
一方、上記(1b)〜(4b)のいずれの判定条件も成立していないときにはＳＴＥＰ９に進み、不完全燃焼対処部６２は、暖房単独運転中であるか否かを判断する。そして、暖房単独運転中であるときはＳＴＥＰ８に戻り、暖房単独運転中でないとき（給湯運転と暖房運転が共に実行中であるとき、又は給湯運転のみが実行されているとき）には、ＳＴＥＰ３に戻る。
【００５６】
なお、給湯運転及び暖房運転の運転条件が成立しない状態となったときには、燃焼制御部６１は、給湯バーナ３１及び暖房バーナ４１を消火して、運転条件の成立を待つ状態となる。
【００５７】
なお、本実施形態では、給湯バーナ３１と給湯バーナ３１よりも最大燃焼量が小さい暖房バーナ４１とを備えた熱源装置１を示したが、本発明の対象はこの構成に限られず、第１バーナと第１バーナよりも最大燃焼量が小さい第２バーナとを少なくとも含む複数のバーナを備え、各バーナへの燃焼用空気の供給を単一のファンにより行うと共に、各バーナの燃焼排ガスを単一の集合排気管を経由して排出する燃焼装置であれば、本発明の適用が可能である。
【００５８】
また、本実施形態では、図２のＳＴＥＰ４で、暖房単独運転が１０秒以上継続した時に、ＳＴＥＰ５以降の暖房単独運転時の暖房バーナ４１の不完全燃焼の監視を開始したが、暖房単独運転が開始された時に、直ちに暖房バーナ４１の不完全燃焼の監視を開始するようにしてもよい。
【符号の説明】
【００５９】
１…熱源装置、１１…集合排気管、１２…ＣＯセンサ、３０…給湯熱交換器、３１…給湯バーナ、４０…暖房熱交換器、４１…暖房バーナ、５０…ファン、６０…コントローラ、６１…燃焼制御部、６２…不完全燃焼対処部。
【図１】
0006316150.tif 000002
【図２】
0006316150.tif 000003
【図３】
0006316150.tif 000004